(57)【要約】【課題】保冷庫本体に振動が与えられても蓄冷容器の振動を低減させて保冷庫本体の内部を良好に冷却すること。【解決手段】直方状の断熱構造を有し、かつ下部に配設されたキャスタ１３により移動可能な保冷庫本体１０と、それぞれが蓄冷剤を収納して保冷庫本体１０に配設され、かつ保冷庫本体１０の内部雰囲気を蓄冷剤に蓄えられた冷熱により所望の温度に冷却する複数の蓄冷容器３０とを備えた保冷庫であって、保冷庫本体１０の左右の両側壁１５の内面にそれぞれ上下方向に沿って延在する態様で設けられたガイドレール２１を有し、各ガイドレール２１の延在方向に沿って蓄冷容器３０をスライド移動させるガイドユニット２０を備えたものである。【選択図】図１
2015017757.tif 000002
【特許請求の範囲】
【請求項１】
直方状の断熱構造を有し、かつ下部に配設されたキャスタにより移動可能な保冷庫本体と、
それぞれが蓄冷剤を収納して前記保冷庫本体に配設され、かつ該保冷庫本体の内部雰囲気を前記蓄冷剤に蓄えられた冷熱により所望の温度に冷却する複数の蓄冷容器と
を備えた保冷庫であって、
前記保冷庫本体の少なくとも２つの側壁内面にそれぞれ上下方向に沿って延在する態様で設けられたガイドレールを有し、各ガイドレールの延在方向に沿って前記蓄冷容器をスライド移動させるガイドユニットを備えたことを特徴とする保冷庫。
【請求項２】
前記ガイドユニットによりスライド移動させられる前記蓄冷容器の上方域において上下方向に沿って移動可能に配設され、かつ前記保冷庫本体の内部を上下に区画する断熱性の仕切部材を備えたことを特徴とする請求項１に記載の保冷庫。
【請求項３】
前記仕切部材は、前記蓄冷容器のスライド移動に応じて前記ガイドレールの延在方向に沿って移動することを特徴とする請求項２に記載の保冷庫。
【発明の詳細な説明】
【技術分野】
【０００１】
本発明は、保冷庫に関するものである。
【背景技術】
【０００２】
従来、例えばトラック等の車両に積載されて輸送される保冷庫は、保冷庫本体と蓄冷容器とを備えて構成されている。保冷庫本体は、前面に開口が形成された直方状の断熱構造の本体キャビネットと、この本体キャビネットの前面開口を開閉する断熱扉とを有して構成され、下部に配設されたキャスタにより移動可能なものである。蓄冷容器は、内部に蓄冷剤を収納して成るものであり、支持ラックを介して本体キャビネット（保冷庫本体）の天井内面に取り付けられている。
【０００３】
このような保冷庫では、冷凍装置等により蓄冷剤に冷熱を蓄え、この蓄冷剤に蓄えられた冷熱により保冷庫本体の内部を所望の温度に冷却して、該内部に収容された商品を冷却するようにしている（例えば、特許文献１参照）。
【先行技術文献】
【特許文献】
【０００４】
【特許文献１】特開２００６−６４３１４号公報
【発明の概要】
【発明が解決しようとする課題】
【０００５】
ところで、上述したような保冷庫では、支持ラックにて蓄冷容器が本体キャビネットの天井内面に取り付けられているので、支持ラックは蓄冷容器の全重量を支持することとなる。そのため、上記保冷庫では、車両が走行中の場合、かかる走行による振動により支持ラックが共振等により大きく振動してしまう虞れがあり、保冷庫本体の内部の冷却に不具合が生ずる虞れがあった。
【０００６】
本発明は、上記実情に鑑みて、保冷庫本体に振動が与えられても蓄冷容器の振動を低減させて保冷庫本体の内部を良好に冷却することができる保冷庫を提供することを目的とする。
【課題を解決するための手段】
【０００７】
上記目的を達成するために、本発明に係る保冷庫は、直方状の断熱構造を有し、かつ下部に配設されたキャスタにより移動可能な保冷庫本体と、それぞれが蓄冷剤を収納して前記保冷庫本体に配設され、かつ該保冷庫本体の内部雰囲気を前記蓄冷剤に蓄えられた冷熱により所望の温度に冷却する複数の蓄冷容器とを備えた保冷庫であって、前記保冷庫本体の少なくとも２つの側壁内面にそれぞれ上下方向に沿って延在する態様で設けられたガイドレールを有し、各ガイドレールの延在方向に沿って前記蓄冷容器をスライド移動させるガイドユニットを備えたことを特徴とする。
【０００８】
また本発明は、上記保冷庫において、前記ガイドユニットによりスライド移動させられる前記蓄冷容器の上方域において上下方向に沿って移動可能に配設され、かつ前記保冷庫本体の内部を上下に区画する断熱性の仕切部材を備えたことを特徴とする。
【０００９】
また本発明は、上記保冷庫において、前記仕切部材は、前記蓄冷容器のスライド移動に応じて前記ガイドレールの延在方向に沿って移動することを特徴とする。
【発明の効果】
【００１０】
本発明によれば、ガイドユニットが、保冷庫本体の少なくとも２つの側壁内面にそれぞれ上下方向に沿って延在する態様で設けられたガイドレールを有し、各ガイドレールの延在方向に沿って蓄冷容器をスライド移動させるので、保冷庫本体の剛性により蓄冷容器の振動を低減させることができる。従って、保冷庫本体に振動が与えられても蓄冷容器の振動を低減させて保冷庫本体の内部を良好に冷却することができるという効果を奏する。
【図面の簡単な説明】
【００１１】
【図１】図１は、本発明の実施の形態である保冷庫の内部構造を模式的に示す正面図である。
【図２】図２は、本発明の実施の形態である保冷庫の内部構造を側面から見た場合を示す断面側面図である。
【図３】図３は、図１及び図２に示したガイドユニットを構成するガイドレールを拡大して示す斜視図である。
【図４】図４は、図１及び図２に示したガイドユニットを構成するスライダを正面から見た場合を示す正面図である。
【図５】図５は、図１及び図２に示したガイドユニットを構成するスライダを側壁側から見た場合を示す説明図である。
【発明を実施するための形態】
【００１２】
以下に添付図面を参照して、本発明に係る保冷庫の好適な実施の形態について詳細に説明する。
【００１３】
図１は、本発明の実施の形態である保冷庫の内部構造を模式的に示す正面図であり、図２は、本発明の実施の形態である保冷庫の内部構造を側面から見た場合を示す断面側面図である。ここで例示する保冷庫は、内部に収容された商品を所望の温度に冷却した状態に保持するためのもので、保冷庫本体１０、ガイドユニット２０、蓄冷容器３０及び断熱仕切部材４０を備えて構成してある。
【００１４】
保冷庫本体１０は、本体キャビネット１１と断熱扉１２とを備えて構成してある。本体キャビネット１１は、複数の金属板を適宜組み合わせることによって前面が開口した直方体状に構成されており、その内面に予め板状に成形した図示せぬ断熱ボードが配設されることにより断熱構造を有するものである。断熱ボードは、発泡ウレタン等の断熱材によって成形した板状部材の表裏両面にそれぞれ面材として樹脂フィルムやクラフト紙が貼着されたものである。
【００１５】
このような本体キャビネット１１の下部にはキャスタ１３が配設してあり、本体キャビネット１１は移動可能なものである。
【００１６】
断熱扉１２は、断熱構造を有しており、本体キャビネット１１の前面開口を覆うのに十分な大きさを有している。この断熱扉１２は、本体キャビネット１１の左側前端部に揺動可能に配設してあり、本体キャビネット１１の前面開口を開閉するための扉体である。また、上記断熱扉１２の前面の所定部位には把手１４が設けてある。
【００１７】
これら本体キャビネット１１及び断熱扉１２を備える保冷庫本体１０は、直方状の断熱構造を有しており、キャスタ１３により移動可能なものである。
【００１８】
ガイドユニット２０は、ガイドレール２１とスライダ２２とを備えて構成してある。ガイドレール２１は、複数（図示の例では４つ）設けてあり、保冷庫本体１０（本体キャビネット１１）の左右両側壁１５の内面にそれぞれ前後一対となる態様で上下方向に延在し
ている。
【００１９】
図３は、図１及び図２に示したガイドユニット２０を構成するガイドレール２１を拡大して示す斜視図である。尚、図３には、一つのガイドレール２１について示すが、その他のガイドレール２１も同様の構成を有している。
【００２０】
この図３にも示すように、ガイドレール２１は、レール基板２１１、前方レール部２１２及び後方レール部２１３を備えて構成してある。レール基板２１１は、上下方向が長手方向となる長尺状の平板部材である。このレール基板２１１は、左右両側壁１５に上下方向に沿って延在する態様で配設してある。
【００２１】
前方レール部２１２は、鋼板等を屈曲等して構成したものであり、上下方向が長手方向となる長尺状のものである。この前方レール部２１２は、レール基板２１１に接合される前方基部２１２ａと、この前方基部２１２ａの後端縁部より内方に向けて延在する前方内延部２１２ｂと、この前方内延部２１２ｂの延在端部より後方に向けて延在する前方後延部２１２ｃとを有している。
【００２２】
後方レール部２１３は、鋼板等を屈曲等して構成したものであり、上下方向が長手方向となる長尺状のものである。この後方レール部２１３は、レール基板２１１に接合される後方基部２１３ａと、この後方基部２１３ａの前端縁部より内方に向けて延在する後方内延部２１３ｂと、この後方内延部２１３ｂの延在端部より前方に向けて延在する後方前延部２１３ｃとを有している。
【００２３】
ここで、前方レール部２１２における前方内延部２１２ｂと、後方レール部２１３における後方内延部２１３ｂとの内方に向けての延在長さは略同じ大きさであり、前方レール部２１２における前方後延部２１２ｃと、後方レール部２１３における後方前延部２１３ｃとの延在長さは略同じ大きさである。また、前方レール部２１２における前方後延部２１２ｃの後端縁部と、後方レール部２１３における後方前延部２１３ｃの前端縁部との間には、間隙Ｓが形成してある。
【００２４】
上記レール基板２１１には、前方後延部２１２ｃと後方前延部２１３ｃとの間の露出される領域において、上下方向に沿って複数の規制孔２１４が等間隔となるように形成されている。これら規制孔２１４は、それぞれ規制ピン２１５の挿入を許容するものである。
【００２５】
図４及び図５は、それぞれ図１及び図２に示したガイドユニット２０を構成するスライダ２２を示すもので、図４は、スライダ２２を正面から見た場合を示す正面図であり、図５は、スライダ２２を側壁１５側から見た場合を示す説明図である。
【００２６】
これら図４及び図５にも示すように、スライダ２２は、水平延在部２２１と傾斜延在部２２２とを有している。水平延在部２２１は、鋼板等を屈曲等して構成したものであり、左右方向に沿って延在するものである。この水平延在部２２１の上面は、後述するように蓄冷容器３０の載置面を構成する。水平延在部２２１の基端部には、前方に向けて突出する前方スライド片２２１ａと、後方に向けて突出する後方スライド片２２１ｂとが設けてある。この基端部の下縁部には、湾曲状の係止凹部２２１ｃが形成してある。
【００２７】
傾斜延在部２２２は、鋼板等を屈曲等して構成したものであり、先端部が水平延在部２２１の内部に進入して連結ピン２２３により連結されており、基端部に向かうに連れて、すなわち自身が配設される側壁１５に向かうに連れて漸次下方に傾斜する態様で延在するものである。傾斜延在部２２２の基端部には、前方に向けて突出する前方スライド片２２２ａと、後方に向けて突出する後方スライド片２２２ｂとが設けてあり、該基端部には、
下縁部に湾曲状の係止凹部２２２ｃが形成してある。
【００２８】
このようなガイドユニット２０においては、スライダ２２（水平延在部２２１及び傾斜延在部２２２）の前方スライド片２２１ａ，２２２ａが前方レール部２１２の前方後延部２１２ｃとレール基板２１１との間に進入し、かつ後方スライド片２２１ｂ，２２２ｂが後方レール部２１３の後方前延部２１３ｃとレール基板２１１との間に進入することで、スライダ２２がガイドレール２１の延在方向（上下方向）にスライド移動することができる。
【００２９】
そして、所望の高さレベルの規制孔２１４に規制ピン２１５を挿入させることで、スライダ２２の係止凹部２２１ｃ，２２２ｃが規制ピン２１５に当接してスライダ２２の下方へのスライド移動が規制されてスライダ２２を該高さレベルに配置させることができる。尚、各ガイドレール２１の規制孔２１４は、それぞれが他のガイドレール２１の対応する規制孔２１４と同一の高さレベルで形成されている。そのため、それぞれのガイドレール２１の同一の高さレベルの規制孔２１４に規制ピン２１５を挿入することで、各ガイドレール２１をスライド移動するスライダ２２を同一の高さレベルに配置させることができる。
【００３０】
蓄冷容器３０は、複数（図示の例では２つ）設けてあり、それぞれが直方状の形態を成している。この蓄冷容器３０は、内部に例えば塩水等の蓄冷剤が収容された平板状の複数の伝熱ケース（図示せず）が左右方向に沿って空隙を介して並設されることにより構成してある。このような蓄冷容器３０は、図には明示しない冷凍装置により伝熱ケースの内部の蓄冷剤が凍結されることで、冷熱を蓄えることができる。上記蓄冷容器３０は、それぞれ前後一対となるガイドレール２１をスライド移動するスライダ２２に跨る態様で載置してある。
【００３１】
断熱仕切部材４０は、断熱材により構成された平板状部材であり、保冷庫本体１０（本体キャビネット１１）の内部を上下に区画するのに十分な面積を有している。この断熱仕切部材４０の左右両端部は、それぞれ蓄冷容器３０の上面に長尺状の減振用ゴム部材５０を介して載置されている。つまり、断熱仕切部材４０は、ガイドユニット２０によりスライド移動させられる蓄冷容器３０のスライド移動に応じてガイドレール２１の延在方向に沿って移動することが可能であり、該蓄冷容器３０の上方域にて保冷庫本体１０の内部を上下に区画するものである。図１及び図２中の符号６０は、固定部材である。かかる固定部材６０は、断熱仕切部材４０の上方において前後一対のガイドレール２１を跨る態様で設けてあり、それぞれに設けられた固定ピン（図示せず）が規制孔２１４に挿入することで断熱仕切部材４０を固定するためのものである。
【００３２】
以上のような構成を有する保冷庫においては、規制ピン２１５を挿入する規制孔２１４の位置により、ガイドレール２１をスライド移動するスライダ２２の高さレベルを調整して該スライダ２２に載置される蓄冷容器３０の高さレベルを決定することができる。
【００３３】
そして、蓄冷容器３０をスライド移動させるためのガイドレール２１を保冷庫本体１０（本体キャビネット１１）の左右の両側壁１５に配設したことで、該保冷庫が積載されるトラック等の車両が走行することにより保冷庫本体１０に振動が与えられても保冷庫本体１０の剛性により蓄冷容器３０の振動を低減させることができる。
【００３４】
従って、本実施の形態である保冷庫によれば、保冷庫本体１０に振動が与えられても蓄冷容器３０の振動を低減させて保冷庫本体１０の内部を良好に冷却することができる。
【００３５】
また、上記保冷庫によれば、保冷庫本体１０の内部を上下に区画する断熱仕切部材４０
が、ガイドユニット２０によりスライド移動させられる蓄冷容器３０のスライド移動に応じてガイドレール２１の延在方向に沿って移動することができるので、保冷庫本体１０に収容される商品の大きさや数等に応じて冷却空間を調整することができ、これにより冷却効率の向上を図ることができる。
【００３６】
更に、上記保冷庫によれば、蓄冷容器３０が複数設けてあるので、これら複数の蓄冷容器３０を１つに纏めた大きさの蓄冷容器３０を用いる場合に比して、保冷庫本体１０の内部雰囲気（内部空気）との接触面積を増大させることができ、これにより熱交換面積を増大させることができ、冷却効率を向上させることができる。
【００３７】
以上、本発明の好適な実施の形態について説明したが、本発明はこれらに限定されるものではなく、種々の変更を行うことができる。
【００３８】
上述した実施の形態では、ガイドユニット２０を構成するガイドレール２１が保冷庫本体１０（本体キャビネット１１）の左右の両側壁１５に配設されていたが、本発明においては、左右の両側壁だけでなく、背面側の側壁にガイドレールを配設してもよい。
【００３９】
上述した実施の形態では、断熱仕切部材４０は、減振用ゴム部材５０を介して蓄冷容器３０に載置されて、ガイドユニット２０によりスライド移動させられる蓄冷容器３０のスライド移動に応じてガイドレール２１の延在方向に沿って移動するものであったが、本発明においては、ガイドユニット以外の手段で仕切部材を上下方向に沿って移動させるようにしても構わない。
【００４０】
上述した実施の形態であるガイドユニット２０の形態、すなわちガイドレール２１やスライダ２２の構成は一例であり、本発明においては、これらの形態に限られないことはいうまでもない。
【符号の説明】
【００４１】
１０  保冷庫本体
１１  本体キャビネット
１２  断熱扉
１３  キャスタ
１５  側壁
２０  ガイドユニット
２１  ガイドレール
２１１  レール基板
２１２  前方レール部
２１２ａ  前方基部
２１２ｂ  前方内延部
２１２ｃ  前方後延部
２１３  後方レール部
２１３ａ  後方基部
２１３ｂ  後方内延部
２１３ｃ  後方前延部
２１４  規制孔
２１５  規制ピン
２２  スライダ
２２１  水平延在部
２２１ａ  前方スライド片
２２１ｂ  後方スライド片
２２１ｃ  係止凹部
２２２  傾斜延在部
２２２ａ  前方スライド片
２２２ｂ  後方スライド片
２２２ｃ  係止凹部
３０  蓄冷容器
４０  断熱仕切部材
５０  減振用ゴム部材
６０  固定部材
Ｓ  間隙
【図１】
2015017757.tif 000003
【図２】
2015017757.tif 000004
【図３】
2015017757.tif 000005
【図４】
2015017757.tif 000006
【図５】
2015017757.tif 000007